(57)【特許請求の範囲】
【請求項１】
少なくとも二方に開口を設けているケースと、周囲にテープを巻回し且つそのテープを巻き取り付勢するコイルバネが内装された回転ドラムを軸支するテープユニットと、そのテープユニットに係着可能なカバーとからなり、前記テープユニットは前記ケースの一方の開口から挿入され、また、前記カバーは前記ケースのもう一方の開口から挿入されて、テープユニットとカバーとが互いに所定の部位で係着し同時にこれらとケースが一体化されることを特徴とする巻尺
【請求項２】
前記ケースの開口がケースの前方および後方の端に形成されていることを特徴とする請求項１の巻尺
【請求項３】
前記ケースの開口がケースの上方および下方の端に形成されていることを特徴とする請求項１の巻尺
【請求項４】
前記ケースの開口がケースの前方および後方および上方または下方の端に形成されていることを特徴とする請求項１の巻尺
【請求項５】
前記ケースの開口がケースの上方および下方および前方または後方の端に形成されていることを特徴とする請求項１の巻尺
【請求項６】
前記ケースまたは前記テープユニットまたは前記カバーにテープのブレーキ機構が設けられ且つその操作部が外部操作可能に設けられていることを特徴とする請求項１の巻尺
【請求項７】
前記テープユニットおよび前記カバーによってケースの開口が閉塞されていることを特徴とする請求項１の巻尺
【請求項８】
前記テープユニットおよび前記カバーがケースの開口の蓋となることを特徴とする請求項１の巻尺
【請求項９】
前記ケースの前記テープユニットとの係合部位が開口の周縁の一部または全部であることを特徴とする請求項１の巻尺
【請求項１０】
前記ケースの前記カバーとの係合部位が開口の周縁の一部または全部であることを特徴とする請求項１の巻尺
【請求項１１】
前記テープユニットと前記カバーとが着脱可能であることを特徴とする請求項１の巻尺
【請求項１２】
前記ケースが金属素材で形成され、前記テープユニットおよび前記カバーの少なくともケースの開口から臨む部分が樹脂素材で形成されていることを特徴とする請求項１の巻尺
【請求項１３】
前記一体化が嵌合または挟持であることを特徴とする請求項１の巻尺
【発明の詳細な説明】
【０００１】
【産業上の利用分野】
本発明は、自動巻取式の巻尺に関するものである。
【０００２】
【従来技術と問題点】
従来、テープを自動的に巻き取る自動巻取式の巻尺は、巻胴部にテープを巻回すると共にそのテープを巻取り付勢するためのコイルバネが内装された回転ドラムと、その回転ドラムを収納するケースとから構成されている。
そのケースは、中央から左右に分かれる形態のもので、左右それぞれのハーフケースが樹脂一体成型により形成されて、一方のハーフケースに立設された軸に回転ドラムが軸止され、他方のハーフケースがそれに合わされてネジにより左右のハーフケースが固定されてなるものである。
【０００３】
しかし、このケースには以下のような欠点があり、それは、巻尺を落とした時にその衝撃によってケースを周回する左右のハーフケースの合わせ目の部分がズレたり、また、そのズレによりケースが破損してしまうことである。
この欠点は、ケースの樹脂厚を増やすことによってそれ相応の解決は可能ではあるが、原材料が増えることから経済的に不利となり、また、ケースが大きく重くなるために取扱性の低下という問題が発生するのである。
【０００４】
また、他の解決手段としては、左右それぞれのハーフケースを金属素材から形成することが考えられるのであるが、これは耐衝撃性の向上は図れるものの、素材が金属になることから樹脂成型と同じようにケースの曲線部分や合わせ目の部分を滑らかに成型するにはそれ相応の金型やプレス機械を用いなくてはならないため、従って、樹脂ケースでの場合と同じく経済的に不利となる。
しかして、巻尺のケースが左右それぞれに形成されたハーフケースが合わされてなる形態のケースである限り、左右のハーフケースの合わせ目の部分がズレたり、また、そのズレによりケースが破損してしまう問題は解決しないのである。
【０００５】
そして、近年では巻尺の高性能化に合わせて、それに見合うようにフィット性や取扱性等を向上させたケースを装備する巻尺も登場しており、また、それらはデザイン的にも優れているものとなっている。
しかし、従来の形態のケースでは左右のハーフケースの合わせ目がはっきりと見て取れることから、ケースの形体デザインには優れているものの形成デザインにおいてはまだまだ低レベルの域を脱するに至っていないのである。
そして、特に思考を凝らしてデザインする前壁および後壁も、その合わせ目によって見栄えがしないのである。
【０００６】
【目的】
本発明は上述した問題点に鑑みてなされたもので、耐衝撃性に優れ且つ形成デザインに優れたケースを有する巻尺を提供することを目的とするものである。
【０００７】
【問題を解決するための手段】
本発明の要旨とするところは、少なくとも二方に開口を設けているケースと、周囲にテープを巻回し且つそのテープを巻き取り付勢するコイルバネが内装された回転ドラムを軸支するテープユニットと、そのテープユニットに係着可能なカバーとからなり、前記テープユニットは前記ケースの一方の開口から挿入され、また、前記カバーは前記ケースのもう一方の開口から挿入されて、テープユニットとカバーとが互いに所定の部位で係着し同時にこれらとケースが一体化されることを特徴とする巻尺である。
【０００８】
本発明の巻尺を詳しく説明すると、ケースは後述のテープユニットおよび後述のカバーの一部または全部を収容するものである。
そのケースは、アルミまたステンレスさらにはチタン等の金属素材を折曲げやプレスまたダイキャストや押出し等の方法により少なくとも二方に開口を設けて形成するのがよい。すなわち、ケースの対向する方向の両端の部分に開口を設けている謂筒状、あるいは、ケースの対向する方向の両端の部分とさらにもう一方の端の部分に開口を設けている謂コ字状の形状である。勿論、上述の金属素材に限ることはなく、他の適当な金属素材または塩化ビニールやポリカーボネート等の適当な樹脂素材を用いてもよい。
【０００９】
その開口を設ける部位としては、二方の場合ではテープユニットおよびカバーのケースへの挿入と共にテープユニットとカバーとが係着できれば何処でもよいが、具体的には、ケースの前方および後方の端、あるいは、上方および下方の端がよい。また、上述のようなケースとテープユニットおよびカバーとの関係が成立可能であれば開口を設ける部位をケースの右側方および左側方の端でもよい。
そして、三方の場合ではテープユニットおよび単数また複数のカバーのケースへの係合と共にテープユニットとそれらのカバーとが係着できれば何処でもよいが、具体的には、ケースの前方および後方および上方または下方の端、あるいは、上方および下方および前方または後方の端がよい。
【００１０】
その具体的に示された部位で、ケースの前方とはテープの出入口が設けられている部分の方向であり、上方とはその前方部分に連続して設けられている天井方向の部分であり、後方とはその上方の部分に連続して設けられている前方部分に対向する部分である謂巻尺の後部であり、下方とはその後方部分に連続して設けられている上方部分に対向する部分である巻尺の底部である。
【００１１】
そのケースの形状も、側面視で円形・四角形・多角形・それらを組合せた形状、また、立体的には立方体・略球体等で特に限定するものではなく、巻尺の取扱性や携帯性さらにはデザイン性等を考慮して適宜所望の形体に形成すればよい。
そして、ケースに設ける開口においては、テープユニットおよびカバーが挿入または係合できればよく、全面を開口としたり、また開口の周縁からその開口を閉じる方向に適当な張出しを設けた形態の開口としてもよい。
その開口の大きさや形状等も、それぞれを同じにすることなく所望の大きさまた形状のものとすればよい。
【００１２】
テープユニットは、内部にテープの巻取り用のコイルバネを収容すると共にテープを巻胴部に巻回する回転ドラムと、この回転ドラムを支持する軸と、カバーと係着するための係着部から構成されているものである。
そのテープユニットは、全体また少なくともケースの開口から臨む部分においては滑らかな形成が可能な塩化ビニールまたポリカーボネート等の適当な樹脂素材で形成するのがよい。勿論、上述の樹脂素材に限ることはない。また、テープユニットを適当な金属素材を用いて形成してもよい。
【００１３】
そして、テープユニットの軸、また、カバーと係着する係着部を含む周辺部分は、樹脂素材または金属素材で一体成型によって形成するのがよい。
また、そのカバーと係着する係着部の構造また形状等も特に限定するものではなく係着できればよい。別部材の係着手段を取付けて係着部としてもよい。
テープユニットは、二方に開口が設けられているケースではそのケースの一方の開口から挿入されて、ケースのもう一方の開口から挿入されたカバーと係着する。また、三方に開口が設けられているケースではそのケースの一方の開口に、または、二方の開口に係合され（二方の開口に1個のテープユニットを係合すること）て、ケースの他方の開口に係合された単数または複数のカバーと係着する。
ケースの他方の開口とは、他の有単数または複数の開口である。前記テープは外部引き出し可能な状態でケース内に収納される。
【００１４】
そして、ケースとテープユニットとカバーとが一体化して巻尺が完成したとき、テープの引き出し方向も特に限定されるものではなく、テープをケースのテープユニットが挿入される開口とほぼ直角の方向に引き出せるように構成したり、また、その開口とほぼ平行する方向に引き出せるようにテープユニットを構成してもよい。
【００１５】
カバーは、テープユニットに係着するための係着部を有しており、テープユニットと係着することにより、ケースとテープユニットとカバーとが一体化して巻尺が完成する。
そのカバーは、全体また少なくともケースの開口から臨む部分においては滑らかな形成が可能な塩化ビニールまたポリカーボネート等の適当な樹脂素材で形成するのがよい。勿論、上述の樹脂素材に限ることはない。また、カバーを適当な金属素材を用いて形成してもよい。
【００１６】
カバーのテープユニットと係着する係着部を含む周辺部分は、樹脂素材または金属素材で一体成型によって形成するのがよい。
そして、そのテープユニットと係着する係着部の構造また形状等も特に限定するものではなく係着できればよい。別部材の係着手段を取付けて係着部としてもよい。
そのカバーは、二方に開口が設けられているケースではそのケースの一方の開口から挿入されて、ケースのもう一方の開口から挿入されたテープユニットと係着する。また、三方に開口が設けられているケースでは単数または複数のカバーがそのケースの一方または二方の開口に係合されて、ケースの他方の開口に係合されたテープユニットと係着する。すなわち、カバーは二方の開口のそれぞれに1個づつ係合させたり、二方の開口に１個のカバーを係合させてもよい。ケースの他方の開口とは、他の単数または複数の開口である。その係着によりケースはテープユニットとカバーにより挟持される。
【００１７】
前述のテープユニットおよびカバーとが所定の部位で係着し、ということは、テープユニットとカバーの所定の部位がケース内またはケース外で何らかの係わりを以って取付き固定されることである。具体的には、カバーに形成された爪が、テープユニットに形成された爪の受け部に嵌ってテープユニットとカバーとが固定できるようにすればよい。勿論、その逆でもよい。また、テープユニットとカバーとは固定できるだけでなく着脱できるようにしてもよい。
前述のテープユニットおよびカバーとが前述のケース一体化してということは、嵌合や挟持を含み、特に挟持の場合、ケースのそれぞれの開口から挿入、あるいは、ケースのそれぞれの開口に係合されたテープユニットとカバーとが係着することにより、ケースがテープユニットとカバーとの間に挟まれた状態またはそれに近い状態で位置していることである。
【００１８】
上記の状態において、ケースはテープユニットとカバーとの間に固定的に挟まれている状態、または、多少の遊びを持って挟まれている状態であったりするが、本状態はその二つの状態をも含むものである。
そして、ケースを挟持するためには、テープユニットおよびカバーはケースと係合できなければならない。その係合とは、ケースの所定の開口から挿入されたテープユニットまたはカバー、あるいは、ケースの所定の開口に係合されたテープユニットまたはカバーが、そのケースと何らかの係わりを以って所定の部位で接触することである。
【００１９】
例えば、ケース内壁に設けられた突起や突状や窪みまたケース自体にテープユニットまたはカバーの所定の部位が当接また嵌合することである。
その係合の部位によっては、テープユニットまたはカバーはそれぞれの開口内に位置したり、また、一部を外部に臨ませて位置するようになる。
そして、ケースのテープユニットまたはカバーとの具体的な係合部位としては開口の周縁部分が望ましい。
【００２０】
その開口をテープユニットおよびカバーで閉塞するようにしてもよい。あるいは、所望の開口のみ閉塞してもよい。
また、テープユニットおよびカバーの適所に壁を形成して、そのテープユニットおよびカバーがケースの開口の蓋となるようにしてもよい。あるいは、所望の開口だけでもよい。
【００２１】
そして、ケースに設けられる開口の方向により、テープユニットまたはカバーにテープを任意の位置で停止させるブレーキ機構を設けてもよい。
その場合、ブレーキ機構の操作レバーまた操作ボタン等のブレーキ操作手段は外部から操作可能にケースから突出させて設けるのがよく、その操作手段の形状や設置部位等も特に限定するものではなく好適な部位に設ければよい。
勿論、ケースの好適な部位に設けてもよく、具体的には、ケースの形体により側面・前面・上面・底面にすればよい。
【００２２】
そのブレーキ機構またブレーキ操作形態は、引き出したテープを停止させておくことができればよく特にそれらを限定するものではない。具体的には、引き出したテープが停止操作することなく停止していて、操作レバーや操作ボタン等のブレーキ操作手段を操作することによってブレーキが解除できるようにしたり、また、そのブレーキ操作手段を操作しているときだけテープが停止できるようにすればよい。そして、後者の場合においては、ブレーキ操作手段から指を離していてもテープが停止可能なように停止ロックができるようにしてもよい。
さらには、ケースに設けられる開口の方向により、テープユニットまたはカバーの適宜部位に巻尺を携帯するときに用いられるストラップを取付けてもよい。勿論、ケースの適宜部位に取付けてもよい。
【００２３】
【作用】
本発明の巻尺は以上のように、ケースは二方に開口を設けた筒状または三方に開口を設けたコ字状に一体成型により形成され、テープユニットは軸および係着部とその周辺部分が一体成型により形成されると共にその軸に周囲にテープを巻回し且つそのテープを巻き取り付勢するコイルバネを内装する回転ドラムを軸支し、カバーは係着部とその周辺部分が一体成型により形成される。
そして、ケースの所定の開口からテープユニットおよびカバーを挿入、あるいは、ケースの所定の開口にテープユニットおよび適数のカバーを係合すると共にテープユニットとカバーとを係着することにより巻尺が完成する。
【００２４】
すなわち、本巻尺は少なくとも二方に開口が設けられたケース部分と、一部が開口の蓋になり且つ機構部分が設けられたテープユニット部分と、一部が開口の蓋になるカバー部分から構成されているので、それぞれの部分を独立した完成品として組み立て保管することができる。
ケース部分は一体成型によりワンピース形成できるので、小型化や軽量化のために肉厚を薄くしても落下等の衝撃に耐え得る。また、受けた衝撃をケース各面に拡散させることができると共に全体で受け止めることができる。
【００２５】
また、ケースの所定の開口にテープユニットおよびカバーの所定の部分が係合また収容されるので、開口周縁部分と共にケースの全体が補強されて耐衝撃性が向上する。特に、ケース側面方向からの耐衝撃性の向上が図れる。
そして、ケースが筒状またはコ字状に形成されることから、金属素材を用いた場合でも容易に一体成型することができる。
さらには、ケースの開口の蓋となるテープユニットおよびカバーを一体成型によりワンピース形成できるので、デザイン的にも思考を凝らすことができる。
【００２６】
【実施例】
本発明の巻尺を以下図面に従って説明すると、図１は、本発明に係わる巻尺の分解側面図であり、１は巻尺、２は前方および後方の端に開口を有する筒状のケースで、一方に開口２１をもう一方に開口２２を有する。２３はケース２とテープユニット３の軸３２を固定するための固定ネジ５を通すネジ通孔である。
【００２７】
３はテープユニットで、３１はカバー４の係合ツメ４１と係着する係合凹、３２は回転ドラム３３を支持する軸である。３４はテープで、先端に係止片が設けられ、また、テープ３４は回転ドラム３３の周囲の巻胴に巻回されて、回転ドラム３３に内装するコイルバネ３６で巻取り方向に付勢される。３７は突条で、テープユニット３をケース２に挿入するときのガイドとなり、また、その突条３７の高さの選定により脱落防止や強度向上ができる。３８はテープ３４のテープ出入口である。
【００２８】
４はカバーで、４１はテープユニット３の係合凹３１と係着する係合ツメ、４２は突条で、カバー４をケース２に挿入するときのガイドとなり、また、その突条４２の高さの選定により脱落防止や強度向上ができる。７は巻尺１を携帯するときに用いられるストラップである。
【００２９】
図２は、巻尺の一部切欠き側面図であり、ケース２の開口２１からテープユニット３を挿入し、ケース２の開口２２からカバー４を挿入して、テープユニット３の係合凹３１とカバー４の係合ツメ４１とを係着することによって巻尺１が完成する。
５はテープユニット３の軸３２に螺刻された雌ネジ（図示せず）と螺合してケース２とテープユニット３とを固定している固定ネジである。
【００３０】
図３は、巻尺の透視平面図である。図４は、巻尺の前面図であり、本図はテープユニット３にテープ３４を停止させるためのブレーキ機構（図示せず）を設けたものを示しており、６はそのブレーキ操作用のブレーキレバーを示すものである。図５は、巻尺の後面図である。
図６は、ケースの前面斜視図であり、開口２１からテープユニット３が挿入される。図７は、ケースの後面斜視図であり、開口２２からカバー４が挿入される。
【００３１】
図８は、本発明に係わる巻尺の他の形態の分解側面図であり、本図の巻尺１ａのケース２ａは、上方および下方の端に開口を有する筒状のものである。
１ａは巻尺、２ａはその筒状のケースで、一方に開口２１をもう一方に開口２２を有する。２３はケース２ａとテープユニット３ａの軸３２を固定するための固定ネジ５を通すネジ通孔である。
【００３２】
３ａはテープユニットで、３１はカバー４ａの係合ツメ４１と係着する係合凹、３２は回転ドラム３３を支持する軸である。３４はテープで、先端に係止片が設けられ、また、テープ３４は回転ドラム３３の周囲の巻胴に巻回されて、回転ドラム３３に内装するコイルバネ３６で巻取り方向に付勢される。３７は突条で、テープユニット３ａをケース２ａに挿入するときのガイドとなり、また、その突条３７の高さの選定により脱落防止や強度向上ができる。３８はテープ３４のテープ出入口である。７は巻尺１ａを携帯するときに用いられるストラップである。
【００３３】
４ａはカバーで、４１はテープユニット３ａの係合凹３１と係着する係合ツメ、４２は突条で、カバー４ａをケース２ａに挿入するときのガイドとなり、また、その突条４２の高さの選定により脱落防止や強度向上ができる。
【００３４】
図９は、図８の巻尺の一部切欠き側面図であり、ケース２ａの開口２１からテープユニット３ａを挿入し、ケース２ａの開口２２からカバー４ａを挿入して、テープユニット３ａの係合凹３１とカバー４ａの係合ツメ４１とを係着することによって巻尺１ａが完成する。
５はテープユニット３ａの軸３２に螺刻された雌ネジ（図示せず）と螺合してケース２ａとテープユニット３ａとを固定している固定ネジである。
【００３５】
図１０は、本発明に係わる巻尺の他の形態の分解側面図であり、本図の巻尺１ｂのケース２ｂは、前方および後方および上方の端に開口を有するコ字状のものである。
１ｂは巻尺、２ｂは前方および後方および上方の端に開口を有するコ字状のケースで、前方に開口２１を後方に開口２２を上方に開口２４を有する。２３はケース２ｂとテープユニット３ｂの軸３２を固定するための固定ネジ５を通すネジ通孔である。
【００３６】
３ｂはテープユニットで、３１はカバー４ｂの係合ツメ４１と係着する係合凹、３２は回転ドラム３３を支持する軸である。３４はテープで、先端に係止片が設けられ、また、テープ３４は回転ドラム３３の周囲の巻胴に巻回されて、回転ドラム３３に内装するコイルバネ３６で巻取り方向に付勢される。３７は突条で、テープユニット３ｂをケース２ｂに挿入するときのガイドとなり、また、その突条３７の高さの選定により脱落防止や強度向上ができる。３８はテープ３４のテープ出入口である。
【００３７】
４ｂはカバーで、４１はテープユニット３ｂの係合凹３１と係着する係合ツメ、４２は突条で、カバー４ｂをケース２ｂに挿入するときのガイドとなり、また、その突条４２の高さの選定により脱落防止や強度向上ができる。７は巻尺１ｂを携帯するときに用いられるストラップである。
そして、本図では図示していないが、テープユニット３ｂおよびカバー４ｂの突条３７／４２の付根部分に所定の深さの溝を形成し、その溝にケース２ｂの開口２１／２２／２４の周縁の一部または全部を嵌めることで、テープユニット３ｂおよびカバー４ｂはケース２ｂから外れ難くなる。
【００３８】
図１１は、図１０の巻尺の一部切欠き側面図であり、ケース２ｂの開口２１と開口２４の一部からテープユニット３ｂを挿入し、ケース２ｂの開口２２と開口２４の一部からカバー４ｂを挿入して、テープユニット３ｂの係合凹３１とカバー４ｂの係合ツメ４１とを係着することによって巻尺１ｂが完成する。
５はテープユニット３ｂの軸３２に螺刻された雌ネジ（図示せず）と螺合してケース２ｂとテープユニット３ｂとを固定している固定ネジである。
【００３９】
図１２は、図１０のケースの前面斜視図であり、開口２１と開口２４の一部からテープユニット３ｂが挿入される。図１３は、図１０のケースの後面斜視図であり、開口２２と開口２４の一部からカバー４ｂが挿入される。
【００４０】
【効果】
本発明の巻尺は以上のように構成されているので、巻尺ケースにはケースを周回する長い合わせ目はなく、従って、落下等によってケースに衝撃が加わった場合でも従来のようにケースがズレたりせず、また、そのズレによってケースが破損することがない。
そして、巻尺ケースの本体となるケース部を金属素材からでも容易に形成することができるので、従って、耐衝撃性が極めて高いレベルまで向上する。
上記の如くケースの本体を金属素材で形成する場合であっても、その形状が筒状またはコ字状といった単純な形状であるため、安価に金型等を製作することができる。
【００４１】
また、一部分がケースの開口の蓋となるテープユニットおよびカバーを一体的に成型できるので、それを樹脂素材を用いて形成することにより綺麗に且つデザイン的にも創作性豊かな形体に形成できる。
そして、巻尺ケースにケースを周回する長い合わせ目がないので形成デザインにも優れており巻尺の商品価値が向上する。
さらに、本巻尺は樹脂素材が有する成型性に優れた特性と金属素材が有する耐衝撃性に優れた特性を共に活かすことができ、また、それらの異素材の組み合せと共に塗色を変えることにより個性的な巻尺にすることができる。
【図面の簡単な説明】
【図１】  本発明に係わる巻尺の分解側面図
【図２】  巻尺の一部切欠き側面図
【図３】  巻尺の透視平面図
【図４】  巻尺の前面図
【図５】  巻尺の後面図
【図６】  ケースの前面斜視図
【図７】  ケースの後面斜視図
【図８】  本発明に係わる巻尺の他の形態の分解側面図
【図９】  図８の巻尺の一部切欠き側面図
【図１０】  本発明に係わる巻尺の他の形態の分解側面図
【図１１】  図１０の巻尺の一部切欠き側面図
【図１２】  図１０のケースの前面斜視図
【図１３】  図１０のケースの後面斜視図
【符号の説明】
１−巻尺，１ａ−巻尺，１ｂ−巻尺，２−ケース，２ａ−ケース，２ｂ−ケース，２１−開口，２２−開口，２３−ネジ通孔，２４−開口，３−テープユニット，３ａ−テープユニット，３ｂ−テープユニット，３１−係合凹，３２−軸，３３−回転ドラム，３４−テープ，３５−係止片，３６−コイルバネ，３７−突条，３８−テープ出入口，４−カバー，４ａ−カバー，４ｂ−カバー，４１−係合ツメ，４２−突条，５−固定ネジ，６−ブレーキレバー，６ａ−ブレーキボタン，７−ストラップ
【図１】
0004763154.tif 000002
【図２】
0004763154.tif 000003
【図３】
0004763154.tif 000004
【図４】
0004763154.tif 000005
【図５】
0004763154.tif 000006
【図６】
0004763154.tif 000007
【図７】
0004763154.tif 000008
【図８】
0004763154.tif 000009
【図９】
0004763154.tif 000010
【図１０】
0004763154.tif 000011
【図１１】
0004763154.tif 000012
【図１２】
0004763154.tif 000013
【図１３】
0004763154.tif 000014